【手続補正書】
【提出日】平成23年6月7日(2011.6.7)
【手続補正１】
【補正対象書類名】明細書
【補正対象項目名】発明の名称
【補正方法】変更
【補正の内容】
【発明の名称】椅子
【手続補正２】
【補正対象書類名】明細書
【補正対象項目名】０００３
【補正方法】変更
【補正の内容】
【０００３】
ところが、このような右肘掛け及び左肘掛けは、その外観形状を異にして左右対称に形成しているため、例えば、右肘掛けを、面方向に１８０度回転させて左肘掛けの取付位置に取り付けようとすると、前記肘桿の傾斜や前記肘当ての形状が前後反対になってしまうため、左右の肘掛けを兼用することができない。従って、左右別々の肘掛けを制作しなければならず、生産コストの増加に繋がっていた。
【手続補正３】
【補正対象書類名】明細書
【補正対象項目名】０００４
【補正方法】変更
【補正の内容】
【０００４】
そこで、本発明は、部品点数を減らし、生産コストを下げられる肘掛けを取り付ける椅子を提供することを目的とするものである。
【手続補正４】
【補正対象書類名】明細書
【補正対象項目名】０００５
【補正方法】変更
【補正の内容】
【０００５】
そこで、本発明は、上記課題を解決するために、次のような手段を講じたものである。つまり、左右対称位置に設けられた肘桿取付部に肘掛けの着脱部を着脱可能に取り付ける椅子において、前記肘桿取付部は、前記着脱部を奥方にガイドするためのガイド部と、奥方壁に設けられた凹部とを備えたものであり、前記肘掛けは、前記着脱部を有する肘桿と、この肘桿に取り付けられ着座者の肘置き箇所を構成する肘当てとを備えたものであり、左右兼用できるように前後対称形状とした前記着脱部には、前記凹部に対して抜き差しできる凸部が設けられ、それら凹部と凸部とを凹凸係合すると共に、ボルト部材により前記肘桿を前記肘桿取付部に固定できるようにしたものであり、前記肘当ては、着座者が利用しやすい左右各々別の形状として左右兼用とせずに、前記肘桿を左右兼用としたことにより、いわゆるＴ型肘掛けにおいて、部品点数を減らし、生産コストを下げられるようにする。
【手続補正５】
【補正対象書類名】明細書
【補正対象項目名】０００６
【補正方法】変更
【補正の内容】
【０００６】
前記肘当ては、左右の前方部を着座者側に向けたものが望ましい。
また、肘当ての好適な態様としては、基台部を含み、該基台部が取付部であるへこみ部を有するものを挙げることができる。
前記着脱部の下面は、前記肘桿取付部の有するガイド部の形状に合わせたものが好ましい。
【手続補正６】
【補正対象書類名】明細書
【補正対象項目名】０００８
【補正方法】変更
【補正の内容】
【０００８】
すなわち、本発明は、左右対称位置に設けられた肘桿取付部に肘掛けの着脱部を着脱可能に取り付ける椅子において、前記肘桿取付部は、前記着脱部を奥方にガイドするためのガイド部と、奥方壁に設けられた凹部とを備えたものであり、前記肘掛けは、前記着脱部を有する肘桿と、この肘桿に取り付けられ着座者の肘置き箇所を構成する肘当てとを備えたものであり、左右兼用できるように前後対称形状とした前記着脱部には、前記凹部に対して抜き差しできる凸部が設けられ、それら凹部と凸部とを凹凸係合すると共に、ボルト部材により前記肘桿を前記肘桿取付部に固定できるようにしたものであり、前記肘当ては、着座者が利用しやすい左右各々別の形状として左右兼用とせずに、前記肘桿を左右兼用としたことを特徴とする。
【手続補正７】
【補正対象書類名】明細書
【補正対象項目名】０００９
【補正方法】変更
【補正の内容】
【０００９】
これにより、いわゆるＴ型肘掛けにおいて、部品点数を減らし、生産コストを下げられる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
【図１】本発明を説明するための実施の形態における椅子の側面図。
【図２】同実施の形態における椅子の正面図。
【図３】同実施の形態における機構の一部を示す分解斜視図。
【図４】同実施の形態における座受の平面図。
【図５】同実施の形態における肘掛けの取付工程斜視図。
【図６】同実施の形態における肘掛けの取付完成斜視図。
【図７】同実施の形態における肘掛けの側面図。
【図８】同実施の形態における肘掛けの正面図。
【図９】同実施の形態における肘掛けの平面図。
【手続補正１０】
【補正対象書類名】明細書
【補正対象項目名】００１２
【補正方法】変更
【補正の内容】
【００１２】
以下、本発明を説明するための一実施の形態について図面を参照して説明する。図１は、本発明を説明するための一実施の形態を示す肘掛け９を取り付けた椅子１の側面図を示しており、図２は、その正面図を示したものである。また、図５は、この椅子１に取り付ける肘掛け９の取付工程斜視図である。以下、具体的な構成について詳述する。
【手続補正１１】
【補正対象書類名】明細書
【補正対象項目名】００１９
【補正方法】変更
【補正の内容】
【００１９】
座受４は、図４に示すように、前記座部６のシェル６１を支持すべく、アルミなどの金属部材によって面状に成形されたもので、その平面部分に前後方向に延びる長孔部４０ｆ、４０ｂを設けており、この長孔部４０ｆ、４０ｂに前記シェル６１の図示しない突出部を挿入し、その挿入端側に後述する構造を採用して、上方への離脱を規制し得るようにしている。また、この座受４の後方には、座部６を介して着座者の坐骨近傍を支持させるようにした後部ベース４２を取り付けている。この後部ベース４２は、座受４の後端部分に回転可能に取り付けており、後述する背もたれ下部フレーム５０の傾動に伴ってその角度を変化させるようにしている。そして、この後部ベース４２の左右にも長孔４２ａを設け、座部６の後端部分をスペーサ４２ｂを介してスライド可能にネジ止めすることによって、座部６の後端部分の浮き上がりを防止するようにしている。また、この座受４の左右両側部対向位置に、後述する肘掛け９の有する肘桿９Ａを取り付けるための肘桿取付部４４を設けている。尚、この肘桿取付部４４については、後に詳述する。
【手続補正１２】
【補正対象書類名】明細書
【補正対象項目名】００２７
【補正方法】変更
【補正の内容】
【００２７】
しかして、座受４の前方側端部には、座部６を取り付けた状態で以上の諸機構を選択的に活用すべく、レバー４３ａ、４３ｂ、４３ｃ、６７が設けてある。レバー４３ａは、座部６を昇降させるためのものであり、レバー４３ｂは背もたれ下部フレーム５０のみを後傾させるものであり、レバー４３ｃは座部６及び背もたれ上部フレーム５５、背もたれ下部フレーム５０全体を連動させてロッキングさせるためのものである。背もたれ上部フレーム５５のみの傾動は、非ロッキング時においてのみレバー操作なしで行うことができる。
【手続補正１３】
【補正対象書類名】明細書
【補正対象項目名】００４６
【補正方法】変更
【補正の内容】
【００４６】
以上のような構成のものであると、いわゆるＴ型肘掛けにおいて、左右兼用できる肘掛け９を実現でき、部品点数を減らし、生産コストを下げられる。又、取付の際に肘掛け９左右の方向性を気にせずに肘掛け９を簡易に取りつけられる。
【手続補正１４】
【補正対象書類名】明細書
【補正対象項目名】００４８
【補正方法】変更
【補正の内容】
【００４８】
以上説明したものは、肘当て９Ｂを中心位置にて左右対称形状とし、肘当て９Ｂも左右兼用できるようにしているが、本発明に係る椅子は、このような構成に代えて、左右肘当て９Ｂの前方部を着座者側に向けるなど、左右各々別の形状として、着座者の利用しやすい肘当て９Ｂを取り付けるようにしている。このように本発明に係る椅子は、前記肘桿と前記肘当てを着脱可能とすることで、椅子に取り付ける前記肘桿を左右兼用とし、肘当てを左右兼用とせずに着座者の用途に合わせた肘当てを取り付けるようにしている。その他の構成も本発明の趣旨を逸脱しない範囲で種々変形が可能である。
【手続補正１５】
【補正対象書類名】特許請求の範囲
【補正対象項目名】全文
【補正方法】変更
【補正の内容】
【特許請求の範囲】
【請求項１】
左右対称位置に設けられた肘桿取付部に肘掛けの着脱部を着脱可能に取り付ける椅子において、
前記肘桿取付部は、前記着脱部を奥方にガイドするためのガイド部と、奥方壁に設けられた凹部とを備えたものであり、
前記肘掛けは、前記着脱部を有する肘桿と、この肘桿に取り付けられ着座者の肘置き箇所を構成する肘当てとを備えたものであり、
左右兼用できるように前後対称形状とした前記着脱部には、前記凹部に対して抜き差しできる凸部が設けられ、それら凹部と凸部とを凹凸係合すると共に、ボルト部材により前記肘桿を前記肘桿取付部に固定できるようにしたものであり、
前記肘当ては、着座者が利用しやすい左右各々別の形状として左右兼用とせずに、前記肘桿を左右兼用としたことを特徴とする椅子。
【請求項２】
前記肘当ては、左右の前方部を着座者側に向けたことを特徴とする請求項１記載の椅子。
【請求項３】
前記肘当ては基台部を含み、該基台部が取付部であるへこみ部を有する請求項１または２記載の椅子。
【請求項４】
前記着脱部の下面が、前記肘桿取付部の有するガイド部の形状に合わせたものである請求項１、２または３記載の椅子。